(57)【特許請求の範囲】
【請求項１】
両端に配電側接続部及び本体側接続部を備え前記配電側接続部は商用交流電源供給部へ抜き取り自在に差し込まれる交流電源コード、
電気機器本体に設けられて前記交流電源コードの前記本体側接続部を抜き取り自在に差し込まれる商用交流電源受け端子（１１）、
前記商用交流電源受け端子（１１）へ印加される商用交流電源から生成されたサブ直流電圧を出力するサブ直流電圧端子（２４）、
前記電気機器本体に交換自在に装備されるバッテリの正側の電圧を供給されるバッテリ端子（４１）、
パワーオン、オフのユーザ指示に従いオン、オフするパワー切替用スイッチ（３１）、
前記パワー切替用スイッチ（３１）を介して前記商用交流電源受け端子（１１）から供給される電圧から生成したメイン直流電圧をメイン二次電圧端子（４０）へ出力するメイン直流二次電圧生成手段（３３）、及び
前記商用交流電源受け端子（１１）への前記交流電源コードの本体側接続部の抜き差しに伴う操作力により変位して前記本体側接続部の差し込み時ではメイン直流電圧端子（４２）を前記メイン二次電圧端子（４０）へ接続し抜き出し時ではメイン直流電圧端子（４２）を前記バッテリ端子（４１）へ接続する電源切替スイッチ（３９）、
を有している電源状態検出装置において、
サブ直流電圧が第１の所定値Ａ以上である場合（以下、「（ａ）の場合」と言う。）には、前記商用交流電源受け端子（１１）に商用交流電源が印加状態になっているものとして、電源に係る各種処理を実施することを特徴とする電源状態検出装置。
【請求項２】
場合（ａ）において、前記パワー切替用スイッチ（３１）がオフである場合（以下、「（ａ１）の場合」と言う。）は、商用交流電源由来のメイン直流電圧が前記メイン直流電圧端子（４２）へ供給されるのを待つ状態となることを特徴とする請求項１記載の電源状態検出装置。
【請求項３】
場合（ａ）において、前記パワー切替用スイッチ（３１）がオフからオンへ切替わってからのオン経過時間が所定値Ｔ未満である場合（以下、「（ａ２１）の場合」と言う。）は、商用交流電源由来のメイン直流電圧により前記電気機器本体の電気素子を作動させる状態とすることを特徴とする請求項１又は２記載の電源状態検出装置。
【請求項４】
場合（ａ）において、前記パワー切替用スイッチ（３１）がオフからオンへ切替わってからのオン経過時間が所定値Ｔ以上であり、メイン直流電圧端子（４２）の電圧が第２の所定値Ｂ未満である場合（以下、「（ａ２２）の場合」と言う。）は、商用交流電源由来のメイン直流電圧から前記電気機器本体の各電気素子を保護する保護処理を実施するようになっていることを特徴とする請求項１〜３のいずれかに記載の電源状態検出装置。
【請求項５】
場合（ａ）において、前記パワー切替用スイッチ（３１）がオフからオンへ切替わってからのオン経過時間が所定値Ｔ以上であり、メイン直流電圧端子（４２）の電圧が第２の所定値Ｂ以上である場合（以下、「（ａ２３）の場合」と言う。）は、商用交流電源由来のメイン直流電圧により前記電気機器本体の電気素子を作動させる状態とすることを特徴とする請求項１〜４のいずれかに記載の電源状態検出装置。
【請求項６】
両端に配電側接続部及び本体側接続部を備え前記配電側接続部は商用交流電源供給部へ抜き取り自在に差し込まれる交流電源コード、
電気機器本体に設けられて前記交流電源コードの前記本体側接続部を抜き取り自在に差し込まれる商用交流電源受け端子（１１）、
前記商用交流電源受け端子（１１）へ印加される商用交流電源から生成されたサブ直流電圧を出力するサブ直流電圧端子（２４）、
前記電気機器本体に交換自在に装備されるバッテリの正側の電圧を供給されるバッテリ端子（４１）、
パワーオン、オフのユーザ指示に従いオン、オフするパワー切替用スイッチ（３１）、
前記パワー切替用スイッチ（３１）を介して前記商用交流電源受け端子（１１）から供給される電圧から生成したメイン直流電圧をメイン二次電圧端子（４０）へ出力するメイン直流二次電圧生成手段（３３）、及び
前記商用交流電源受け端子（１１）への前記交流電源コードの本体側接続部の抜き差しに伴う抜き差し力により変位して前記本体側接続部の差し込み時ではメイン直流電圧端子（４２）を前記メイン二次電圧端子（４０）へ接続し抜き出し時ではメイン直流電圧端子（４２）を前記バッテリ端子（４１）へ接続する電源切替スイッチ（３９）、
を有している電源状態検出装置において、
サブ直流電圧が第１の所定値Ａ未満である場合（以下、「（ｂ）の場合」と言う。）には、前記商用交流電源受け端子（１１）には商用交流電源が印加されていない状態になっているものとして、電源に係る各種処理を実施することを特徴とする電源状態検出装置。
【請求項７】
場合（ｂ）において、マイクロコンピュータ（３２）のチップイネーブルの電圧が第３の所定値Ｃ未満である場合（以下、「（ｂ１）の場合」と言う。）は、マイクロコンピュータ（３２）の次回の起動時に参照する設定用データを不揮発メモリへ書き込むバックアップ処理を行ってから、マイクロコンピュータ（３２）を停止するようになっていることを特徴とする請求項６記載の電源状態検出装置。
【請求項８】
場合（ｂ）において、マイクロコンピュータ（３２）のチップイネーブルの電圧が第３の所定値Ｃ以上であり、メイン直流電圧端子（４２）が第４の所定値Ｄ未満である場合（以下、「（ｂ２１）の場合」と言う。）は、電気機器本体の作動を終了して、バッテリからの第３の所定値Ｃ以上の電圧の供給を待つ状態になることを特徴とする請求項６又は７記載の電源状態検出装置。
【請求項９】
場合（ｂ）において、マイクロコンピュータ（３２）のチップイネーブルの電圧が第３の所定値Ｃ以上であり、メイン直流電圧端子（４２）が第４の所定値Ｄ以上である場合（以下、「（ｂ２２）の場合」と言う。）は、バッテリ由来のメイン直流電圧により前記電気機器本体の電気素子を作動させる状態とすることを特徴とする請求項６〜８のいずれかに記載の電源状態検出装置。
【発明の詳細な説明】
【０００１】
【発明の属する技術分野】
この発明は、例えばＭＤ及びＣＤ等のポータブル型プレーヤ等のように、商用交流電源及びバッテリの両方を電源とすることのできる電源状態検出装置に関するものである。
【０００２】
【従来の技術】
ＣＤやＭＤ等のポータブルプレーヤでは、商用交流電源及びバッテリの両方を電源とすることができるとともに、状況に応じて適切な方を選択するようになっている。
【０００３】
【発明が解決しようとする課題】
電源の選択は、例えば、ポータブルプレーヤが商用交流電源からの電力供給を受けることのできる状態になっていれば、装備中のバッテリの残電力に関係なく、商用交流電源を電源として選択するようになっているのが好ましい。また、電源コードがプレーヤ本体から抜けた場合には、電源が商用交流電源からバッテリへ自動的に切替わるようになっていることが好ましい。
【０００４】
ポータブルプレーヤ等の電気機器では、交流電源やバッテリの電源供給状態に応じて適切な処理が必要となるが、このような電源状態を検出するためには、例えば、電源コードがポータブルプレーヤ本体に差し込まれているか否かを検出するセンサ等、多数のセンサと、多数の判断処理とが必要になっている。
【０００５】
この発明の目的は、電気機器の電源状態を必要最小限のセンサにより、適切に検出し、かつ状況に応じた的確な電源処理を実施できる電源状態検出装置を提供することである。
【０００６】
【課題を解決するための手段】
この発明の電源状態検出装置は、次のものを有している。
両端に配電側接続部及び本体側接続部を備え配電側接続部は商用交流電源供給部へ抜き取り自在に差し込まれる交流電源コード
電気機器本体に設けられて交流電源コードの本体側接続部を抜き取り自在に差し込まれる商用交流電源受け端子（１１）
商用交流電源受け端子（１１）へ印加される商用交流電源から生成されたサブ直流電圧を出力するサブ直流電圧端子（２４）
電気機器本体に交換自在に装備されるバッテリの正側の電圧を供給されるバッテリ端子（４１）
パワーオン、オフのユーザ指示に従いオン、オフするパワー切替用スイッチ（３１）
パワー切替用スイッチ（３１）を介して商用交流電源受け端子（１１）から供給される電圧から生成したメイン直流電圧をメイン二次電圧端子（４０）へ出力するメイン直流二次電圧生成手段（３３）
商用交流電源受け端子（１１）への交流電源コードの本体側接続部の抜き差しに伴う操作力により変位して本体側接続部の差し込み時ではメイン直流電圧端子（４２）をメイン二次電圧端子（４０）へ接続し抜き出し時ではメイン直流電圧端子（４２）をバッテリ端子（４１）へ接続する電源切替スイッチ（３９）
そして、この電源状態検出装置では、サブ直流電圧が第１の所定値Ａ以上である場合（以下、「（ａ）の場合」と言う。）には、商用交流電源受け端子（１１）に商用交流電源が印加状態になっているものとして、電源に係る各種処理を実施する。
【０００７】
商用交流電源供給部とは、例えば家庭等の壁に設置されるコンセント等である。電気機器とは、例えば、ＣＤやＭＤを再生するポータブルプレーヤや、それらとラジオとを一体化した一体化型携帯式オーディオ機器だけでなく、一般の携帯型家電機器を含む。第１の所定値は例えば５Ｖである。なお、電気機器は、パワー切替用スイッチ（３１）がオフであっても、電気機器本体に商用交流電源が供給されていたり、バッテリから電力を供給されていたりする場合には、ユーザからのパワーオン、オフのユーザ指示の入力を受け付けて、入力の際にはパワー切替用スイッチ（３１）をオフからオンへ切替えるために、マイクロコンピュータや受信素子は、所定の電力を供給されて、必要とされる処理を行えるようになっている（以下、この状態を「待機状態」と言う。）。
【０００８】
商用交流電源由来及びバッテリ由来のメイン直流電圧と言う場合の由来とは、メイン直流電圧の発生源がそれぞれ商用交流電源及びバッテリとなっているということである。
【０００９】
交流電源コードの本体側接続部が商用交流電源受け端子（１１）に差し込まれるのに伴い、電源切替スイッチ（３９）はメイン直流電圧端子（４２）をメイン二次電圧端子（４０）へ接続し、これにより、十分な残電力量のあるバッテリが電気機器本体に装備されていても、バッテリの電力は使用されなくなる。交流電源コードの本体側接続部が商用交流電源受け端子（１１）に差し込まれ、かつ交流電源コードの配電側接続部が商用交流電源供給部へ差し込まれていると、商用交流電源供給部からの電圧が交流電源コードを介して商用交流電源受け端子（１１）へ供給される。結果、サブ直流電圧には、第１の所定値Ａ以上の電圧が印加される。こうして、サブ直流電圧における第１の所定値Ａ以上の電圧の有無から、商用交流電源受け端子（１１）に商用交流電源が印加状態になっているか否かが分かり、（ａ）の場合には、商用交流電源受け端子（１１）に商用交流電源が印加状態になっているものとして、電源に係る各種処理を実施する。この電源状態検出装置では、電源切替スイッチ（３９）の位置の検出は省略でき、その分、電源状態検出装置全体のセンサ数を低減できる。
【００１０】
この発明の電源状態検出装置によれば、場合（ａ）において、パワー切替用スイッチ（３１）がオフである場合（以下、「（ａ１）の場合」と言う。）は、商用交流電源由来のメイン直流電圧がメイン直流電圧端子（４２）へ供給されるのを待つ状態となる。
【００１１】
パワー切替用スイッチ（３１）は、例えば、マイクロコンピュータ（３２）を介してオン、オフを切替えられ、マイクロコンピュータ（３２）は、前述したように待機状態において必要電力を確保され、所定の作動を実行可能である。パワー切替用スイッチ（３１）がオン、オフかは、パワー切替用スイッチ（３１）の作動位置を直接検知しなくても、例えば、パワー切替用スイッチ（３１）のオン、オフを切替えるマイクロコンピュータ（３２）自身が覚えている。（ａ１）の場合には、パワー切替用スイッチ（３１）がオフであるので、メイン直流二次電圧生成手段（３３）による商用交流電源からのメイン直流電圧の生成は行われず、メイン二次電圧端子（４０）にはメイン直流電圧が印加されない。したがって、（ａ１）の場合は、商用交流電源由来のメイン直流電圧が前記メイン直流電圧端子（４２）へ供給されるのを待つ状態とされ、パワー切替用スイッチ（３１）のオンへの切替に備えることができる。
【００１２】
この発明の電源状態検出装置によれば、場合（ａ）において、パワー切替用スイッチ（３１）がオフからオンへ切替わってからのオン経過時間が所定値Ｔ未満である場合（以下、「（ａ２１）の場合」と言う。）は、商用交流電源由来のメイン直流電圧により電気機器本体の電気素子を作動させる状態とする。
【００１３】
Ｔは例えば１秒である。（ａ２１）の場合、メイン直流二次電圧生成手段（３３）は作動開始から間もないために、十分な高さのサブ直流電圧をまだ生成できない。この時点で、メイン直流二次電圧生成手段（３３）に故障が起きたと判断するのは早計である。したがって、（ａ２１）の場合には、メイン二次電圧端子（４０）の電圧に関係なく、電気機器本体の電気素子へメイン二次電圧端子（４０）からの電力供給状態に維持する。
【００１４】
この発明の電源状態検出装置によれば、場合（ａ）において、パワー切替用スイッチ（３１）がオフからオンへ切替わってからのオン経過時間が所定値Ｔ以上であり、メイン直流電圧端子（４２）の電圧が第２の所定値Ｂ未満である場合（以下、「（ａ２２）の場合」と言う。）は、商用交流電源由来のメイン直流電圧から電気機器本体の各電気素子を保護する保護処理を実施するようになっている。
【００１５】
第２の所定値Ｂは例えば１Ｖである。
【００１６】
電気機器本体の電気素子が故障すると、短絡等によりメイン直流電圧端子（４２）の電圧が、低下し、第２の所定値Ｂ未満となる。したがって、（ａ２２）の場合は、電気機器本体の電気素子に異常が起きたことを意味し、このまま、メイン直流電圧端子（４２）のメイン直流電圧を各電気素子へ供給する状態に維持することは、電気機器本体の電気素子に損傷を与える可能性がある。したがって、（ａ２２）の場合は、例えば、パワー切替用スイッチ（３１）を強制的にオフにするような保護処理を実施する。
【００１７】
この発明の電源状態検出装置によれば、場合（ａ）において、パワー切替用スイッチ（３１）がオフからオンへ切替わってからのオン経過時間が所定値Ｔ以上であり、メイン直流電圧端子（４２）の電圧が第２の所定値Ｂ以上である場合（以下、「（ａ２３）の場合」と言う。）は、商用交流電源由来のメイン直流電圧により電気機器本体の電気素子を作動させる状態とする。
【００１８】
（ａ２３）の場合は、メイン直流二次電圧生成手段（３３）は正常に作動している。したがって、この場合は、商用交流電源由来のメイン直流電圧により電気機器本体の電気素子を作動させる状態にし、この電気機器を作動状態にする。
【００１９】
この発明の電源状態検出装置は次のものを有している。
両端に配電側接続部及び本体側接続部を備え配電側接続部は商用交流電源供給部へ抜き取り自在に差し込まれる交流電源コード
電気機器本体に設けられて交流電源コードの本体側接続部を抜き取り自在に差し込まれる商用交流電源受け端子（１１）
商用交流電源受け端子（１１）へ印加される商用交流電源から生成されたサブ直流電圧を出力するサブ直流電圧端子（２４）
電気機器本体に交換自在に装備されるバッテリの正側の電圧を供給されるバッテリ端子（４１）
パワーオン、オフのユーザ指示に従いオン、オフするパワー切替用スイッチ（３１）
パワー切替用スイッチ（３１）を介して商用交流電源受け端子（１１）から供給される電圧から生成したメイン直流電圧をメイン二次電圧端子（４０）へ出力するメイン直流二次電圧生成手段（３３）
商用交流電源受け端子（１１）への交流電源コードの本体側接続部の抜き差しに伴う抜き差し力により変位して本体側接続部の差し込み時ではメイン直流電圧端子（４２）をメイン二次電圧端子（４０）へ接続し抜き出し時ではメイン直流電圧端子（４２）をバッテリ端子（４１）へ接続する電源切替スイッチ（３９）
この電源状態検出装置では、サブ直流電圧が第１の所定値Ａ未満である場合（以下、「（ｂ）の場合」と言う。）には、商用交流電源受け端子（１１）には商用交流電源が印加されていない状態になっているものとして、電源に係る各種処理を実施する。
【００２０】
交流電源コードの本体側接続部が商用交流電源受け端子（１１）から抜かれた状態では、交流電源コードを介しての商用交流電源受け端子（１１）への商用交流電源の印加はなくなる。したがって、（ｂ）の場合は、商用交流電源受け端子（１１）には商用交流電源が印加されていない状態になっているものとして、電源に係る各種処理を実施する。
【００２１】
この発明の電源状態検出装置によれば，場合（ｂ）において、マイクロコンピュータ（３２）のチップイネーブルの電圧が第３の所定値Ｃ未満である場合（以下、「（ｂ１）の場合」と言う。）は、マイクロコンピュータ（３２）の次回の起動時に参照する設定用データを不揮発メモリへ書き込むバックアップ処理を行ってから、マイクロコンピュータ（３２）を停止するようになっている。
【００２２】
電気機器本体の作動当初が（ｂ１）の場合であれば、マイクロコンピュータ（３２）は最初から作動しないので、バックアップの必要もないが、商用交流電源又はバッテリの電力によりマイクロコンピュータ（３２）が作動して、交流電源コードの配電側接続部が商用交流電源供給部から突然外れたり、突然停電したりして、作動の途中から（ｂ１）になることがある。このような電気機器本体の作動途中の（ｂ１）の発生では、バックアップ処理を行ってから、マイクロコンピュータ（３２）を停止させることになり、マイクロコンピュータ（３２）の突然の停止にもかかわらず、マイクロコンピュータ（３２）の次回の起動を円滑化できる。なお、メイン直流電圧がバックアップ処理する期間の電力は、電解コンデンサ等のバックアップ電源により確保される。
【００２３】
この発明の電源状態検出装置によれば、場合（ｂ）において、マイクロコンピュータ（３２）のチップイネーブルの電圧が第３の所定値Ｃ以上であり、メイン直流電圧端子（４２）が第４の所定値Ｄ未満である場合（以下、「（ｂ２１）の場合」と言う。）は、電気機器本体の作動を終了して、バッテリからの第３の所定値Ｃ以上の電圧の供給を待つ状態になる。
【００２４】
第４の所定値Ｄは例えば２Ｖである。
【００２５】
（ｂ２１）の場合は、ユーザが電気機器本体について今回の使用を開始したときから、（ｂ２１）の場合となっていることもあるし、バッテリの使用の進行に伴うバッテリの電力低下により後述の（ｂ２２）から（ｂ２１）へ移行した場合もある。いずれの場合にも、電気機器本体の作動の続行は、支障が生じるので、電気機器本体の作動を終了させて、バッテリからの第４の所定値Ｄ以上の電圧の供給を待つ状態とする。なお、この電気機器本体の作動を終了させる場合に、好ましくは、前述のバックアップ処理を実施して、マイクロコンピュータ（３２）の次回の起動時に参照する設定用データを不揮発メモリへ書き込むようになっている。
【００２６】
この発明の電源状態検出装置によれば、場合（ｂ）において、マイクロコンピュータ（３２）のチップイネーブルの電圧が第３の所定値Ｃ以上であり、メイン直流電圧端子（４２）が第４の所定値Ｄ以上である場合（以下、「（ｂ２２）の場合」と言う。）は、バッテリ由来のメイン直流電圧により電気機器本体の電気素子を作動させる状態とする。
【００２７】
（ｂ２２）の場合は、バッテリから必要な電力供給が確保されると判断できるので、バッテリ由来のメイン直流電圧により前記電気機器本体の電気素子を作動させる状態とする。
【００２８】
【発明の実施の形態】
以下、発明の実施の形態について図面を参照して説明する。
図１は二電源式電気機器１０の主要部概略図である。二電源式電気機器１０は例えばＣＤプレーヤ部、ＭＤ録再部、及びチューナー部を一体にもつ携帯型オーディオ機器である。交流入力部１１は、交流電源コードの二電源式電気機器側プラグを抜き出し自在に差し込まれる。サブ変圧器１２は、一次側を交流入力部１１へ接続され、交流入力部１１への商用交流電源の印加中は商用交流電源を一次電圧として二次側に所定値の交流電圧を生成する。整流器１３はサブ変圧器１２の生成交流電圧を整流し、電位調整部１４は、整流器１３の出力直流電圧を所定値の直流電圧へ変換し、直流出力端子１５へ出力する。直流出力端子１５の電圧は、後述のマイクロコンピュータ３２やリモコン信号受信センサ等の素子へ供給され、二電源式電気機器１０の待機状態（スイッチ部３１がオフで、二電源式電気機器１０のほとんどの機能は停止状態になっているが、リモコンからのパワーオン信号の受信を待ち、かつ受信されるとスイッチ部３１をオフからオンへ切替えることのできる状態）の作動を保証している。なお、交流電源コードの二電源式電気機器側プラグが交流入力部１１から抜かれ、かつバッテリ装備状態では、図示していない回路を介してバッテリの電力がマイクロコンピュータ３２やリモコン信号受信センサ等の素子へ供給され、二電源式電気機器１０の待機状態の作動を保証するようになっている。ダイオード２０，２１は、サブ変圧器１２の両出力端子へ陽極側を接続され、陰極側を相互に接続され、サブ変圧器１２の出力電圧を整流した電圧を共通出力側に生成する。抵抗２２，２３は、直列に接続され、ダイオード２０，２１の陰極側の直流電圧を分圧し、サブ直流電圧端子２４へ出力する。なお、この二電源式電気機器１０において、サブ直流電圧端子２４は、後述のサブ直流電圧Ｖａを検出するためにだけ設けられた端子であり、電力取出し端子としては利用されていない。
【００２９】
メインリレー３０は、マイクロコンピュータ３２から制御電流を受け、この制御電流に基づいてスイッチ部３１をオン、オフさせる。マイクロコンピュータ３２は、スイッチ部３１のオフ中は、サブ直流電圧端子２９から電力を供給され、例えばリモコンからのパワーオン信号を二電源式電気機器本体の受信器（図示せず）に受信すると、スイッチ部３１をオフからオンへ切替えるようになっている。メイン変圧器３３は、一次側を、スイッチ部３１を介して交流入力部１１へ接続され、一次側に商用交流電源が印加されているときには、二次側に所定の二次交流電圧を生成する。整流器３４は、メイン変圧器３３が生成した二次交流電圧を整流し、一方の出力端子は二次電圧側接点４０へ接続され、他方の出力端子は電解コンデンサ４５を介して出力側接点４２へ接続される。電源切替用機械スイッチ３９は、交流入力部１１への交流電源コードの二電源式電気機器側プラグの差し抜きに従って、その操作力により可動接触子３８を変位され、可動接触子３８は、交流入力部１１への該プラグの差込時では、出力側接点４２を二次電圧側接点４０へ接続し、交流入力部１１からの該プラグの抜き出し時には、出力側接点４２をバッテリ側接点４１へ接続する。抵抗４３，４４は相互に直列に接続され、その直列接続は電解コンデンサ４５に対して並列に接続され、メイン直流電圧端子４９は抵抗４３，４４の接続点へ接続されている。スイッチ部３１がオンになると、出力側接点４２は二次電圧側接点４０へ接続され、電解コンデンサ４５は両端電圧を平滑化し、これにより、メイン直流電圧端子４９に所定のメイン直流電圧が生じる。二電源式電気機器１０のほとんどの電気素子はメイン直流電圧端子４９から電圧を供給される。
【００３０】
図２及び図３は交流／バッテリの判別処理のフローチャートを二分した各部分を示している。後述するように、該判別処理は、Ｓ５５から開始され、Ｓ７１の実施の場合のみ、終了し、他の場合は、再びＳ５５へ戻って、繰り返し実施されるようになっている。Ｓ５５では、サブ直流電圧Ｖａ（＝サブ直流電圧端子２４の電圧）が５Ｖ以上であるか否かを判別し、判別結果がＹＥＳであれば、Ｓ５６へ進み、ＮＯであれば、Ｓ７０へ進む。交流電源コードの二電源式電気機器側プラグが交流入力部１１へ差し込まれ、かつ交流電源コードの配電側プラグが商用交流電源通電中のコンセントへ差し込まれていれば、交流入力部１１に商用交流電源が印加され、サブ直流電圧端子２９の電圧は直流５Ｖ以上になる。すなわち、Ｓ５６の方へ進むときは、二電源式電気機器１０が商用交流電源からの電力で作動するときに限られ、また、Ｓ７０の方へ進むときは、二電源式電気機器１０が商用交流電源からの電力では作動できないときに限られる。Ｓ５６では、ユーザ指示がパワーオン、パワーオフのいずれになっているかを判別し、パワーオフであれば、Ｓ５７へ進み、パワーオンであれば、Ｓ６１へ進む。なお、スイッチ部３１はリモコン及び／又は二電源式電気機器本体に配備され、そのスイッチ部３１のオン、オフはそれぞれユーザ指示のパワーオン及びパワーオフに対応する。Ｓ５７では、メインリレー３０のスイッチ部３１をオフにし、Ｓ５８では、商用交流電源のスタンバイ状態（パワーとしての商用交流電源がオンにするのを待機する状態。）にする。Ｓ５８の後、Ｓ５５へ戻る。Ｓ６１では、メインリレー３０のスイッチ部３１をオンにし、Ｓ６２へ進む。Ｓ６２では、スイッチ部３１がオンになってから１秒以内か否かを判定し、判定がＹＥＳであれば、Ｓ６７へ進み、ＮＯであれば、Ｓ６３へ進む。Ｓ６３では、メイン直流電圧端子４９の電圧Ｖｂが１Ｖ以上であるか否かを判定し、判定がＹＥＳであれば、Ｓ６７へ進み、ＮＯであれば、Ｓ６４へ進む。なお、Ｖｂが１Ｖ未満である場合とは、二電源式電気機器１０に一部の電気素子が故障して、短絡状態になり、電気素子に過大な電流が流れていることが考えられる。Ｓ６４では、保護処理を実施して、Ｓ５５へ戻る。保護処理とは、例えば、メインリレー３０のスイッチ部３１を強制的にオフにして、二電源式電気機器１０の各電気素子に以上電流が流れるのを防止して、それらの損傷を回避することである。Ｓ６７では、商用交流電源のオン動作を行い、すなわち二電源式電気機器１０の各素子は商用交流電源からの電力で作動するようになる。
【００３１】
Ｓ７０では、マイクロコンピュータ３２がＣＥ（チップイネーブル）状態にあるか否かを判定し、判定がＹＥＳであれば、すなわちＣＥの電圧がＨ（＝チップイネーブル状態）にあれば、Ｓ７４へ進み、ＮＯであれば、すなわちＣＥの電圧がＬ（＝チップディスエーブル状態）にあれば、Ｓ７１へ進む。図４はＣＥの状態がそれぞれＬ，Ｈとなる二電源式電気機器１０の各ケースＩ１〜Ｉ１０を示している。図５は図４の各ケースＩ１〜Ｉ１０について交流電源コードの壁側（＝商用交流電源の配電側）及び二電源式電気機器側のプラグの接続状態、並びに電池（バッテリ）の残電力状態との関係を示している。図５において、○は、交流電源コードの壁側又は二電源式電気機器１０側のプラグが商用交流電源の配電側コンセント又は交流入力部１１に差し込まれた状態を意味し、×は交流電源コードの壁側又は二電源式電気機器１０側のプラグが商用交流電源の配電側コンセント又は交流入力部１１から引き抜かれた状態を意味している。図５において、電池の無しは、バッテリが二電源式電気機器１０に装備されていない状態（二電源式電気機器１０のバッテリケースが空の状態）を意味し、ＯＫは、十分な残電力量をもつバッテリが二電源式電気機器１０に装備された状態（二電源式電気機器１０のバッテリケースに収納されている状態）を意味し、ＤＥＡＤは、バッテリが二電源式電気機器１０に装備されているものの、そのバッテリの残電力量が二電源式電気機器１０を作動させるには不足である状態を意味している。Ｓ７０の判定は、Ｓ５５の判定がＮＯである場合に限定して、実施されるので、Ｓ７０の判定が行われるのは、Ｉ１〜Ｉ５、Ｉ９，Ｉ１０のみであり、Ｉ６〜Ｉ８は除外される。
【００３２】
Ｓ７１では、バックアップ処理を実施する。バックアップ処理とは、この例では、マイクロコンピュータ３２の作動を停止するに先立ち、マイクロコンピュータ３２が次の起動時に支障なく起動できるように、現在の設定データを不揮発性メモリに退避するすることである。Ｓ７１の後は、該交流／バッテリの判別処理を終了する。Ｓ７４では、メイン直流電圧、すなわちメイン直流電圧端子４９の電圧Ｖｂの値を判別し、Ｖｂが２Ｖ以上であれば、Ｓ８０へ進み、Ｖｂが２Ｖ未満であれば、Ｓ７５へ進む。Ｓ７５では、ＥＮＤ処理を行い、Ｓ７６では、バッテリが”ＬＯＷ  ＢＡＴＴＥＲＹ（低バッテリ）”を表示器に表示し、Ｓ７７で、バッテリのスタンバイ動作を行ってから、Ｓ５５へ戻る。Ｓ７５のＥＮＤ処理の具体的内容は、二電源式電気機器１０の作動（例：再生や録音）を停止させること、Ｓ７１のバックアップ処理と同様に現在の設定データを不揮発性メモリに退避することを含む。Ｓ８０では、バッテリの動作を行い、すなわち二電源式電気機器１０の各素子はバッテリからの電力で作動するようになる。
【００３３】
図６及び図７は図１及び図２の交流／バッテリの判別処理における制御状態を整理して示したものである。すなわち図６はＳ５５の判定においてＶａ≧５Ｖであった場合の二電源式電気機器１０のパワースイッチ状態（Ｐｏｗｅｒ）、メインリレー３０の制御（Ａｃｔｉｏｎ１）、メインリレー３０のオン後の経過時間、メイン直流電圧Ｖｂ、及び対応処理２（Ａｃｔｉｏｎ２）の関係を示している。また、図７はＳ５５の判定においてＶａ＜５Ｖであった場合のＣＥの状態、メイン直流電圧Ｖｂ、及び対応処理３（Ａｃｔｉｏｎ３）の関係を示している。
【００３４】
電源を商用交流電源としているときに、交流電源コードを交流入力部１１から外して、電源をバッテリへ切替えることがある。このようなとき、交流入力部１１からの交流電源コードの引き抜きと、サブ直流電圧の変化とによっては、マイクロコンピュータ３２にリセットがかかり、バックアップの情報をクリアしてしまい、このまま、抵抗２３の作動を継続すると、二電源式電気機器１０の設定が初期状態に戻ってしまうことがある。これを回避するために、リセット処理プログラム（図示せず）では、商用交流電源及びバッテリ間で電源が切替わったかを調べ、切替わったときは、二電源式電気機器１０の作動をそのまま継続することなく、二電源式電気機器１０を切替わり後の商用交流電源又はバッテリの電源スタンバイ状態にし、それから図１及び図２の交流／バッテリの判別処理を実施するようにし、バックアップデータをクリアしないようにしている。
【図面の簡単な説明】
【図１】二電源式電気機器の主要部概略図である。
【図２】交流／バッテリの判別処理のフローチャートを二分した一方の部分を示す図である。
【図３】交流／バッテリの判別処理のフローチャートを二分した他方の部分を示す図である。
【図４】ＣＥの状態がそれぞれＬ，Ｈとなる二電源式電気機器の各ケースＩ１〜Ｉ１０を示す図である。
【図５】図４の各ケースＩ１〜Ｉ１０について交流電源コードの壁側（＝商用交流電源の配電側）及び二電源式電気機器側のプラグの接続状態、並びに電池（バッテリ）の残電力状態との関係を示す図である。
【図６】図１及び図２の交流／バッテリの判別処理における制御状態を整理して示した図である。
【図７】図１及び図２の交流／バッテリの判別処理における制御状態を整理して示した図である。
【符号の説明】
１１    交流入力部（商用交流電源受け端子）
２４    サブ直流電圧端子
３１    スイッチ部（パワー切替用スイッチ）
３２    マイクロコンピュータ
３３    メイン変圧器
３９    電源切替用機械スイッチ（電源切替スイッチ）
４０    二次電圧側接点（メイン二次電圧端子）
４１    バッテリ側接点（バッテリ端子）
４２    出力側接点
【図１】
0003593294.tif 000002
【図２】
0003593294.tif 000003
【図３】
0003593294.tif 000004
【図４】
0003593294.tif 000005
【図５】
0003593294.tif 000006
【図６】
0003593294.tif 000007
【図７】
0003593294.tif 000008